(57)【要約】      （修正有）【課題】力が弱くても確実に地面に垂直に突き刺す事が出来るゴルフティーを提供する。【解決手段】ティー本体２と４個の支柱部を備えたボール支持部３と、一対のガイド用段差部を備えてゴルフティー１とする。前記一対のガイド用段差部の形状が四角形として形成されており、そのうちの一辺に設けられる後側段差部６は、対辺の前側段差部７よりボール支持部３から脚部４先端方向に短い距離で形成され、前記４個の支柱部を備えたボール支持部３のうち前記後側段差部６のコーナー角から同じ高さを突出させて後側支柱部８、８Ａと、前記前側段差部７のコーナー角から同じ突出高さを有する前側支柱部９、９Ａとをそれぞれ支柱形状として突出して設けられる。軸線上Ｄ垂直方向での前記後側支柱部８、８Ａ側が１〜８ｍｍ高くなるようにする。【選択図】図２
0003183066.tif 000002
【実用新案登録請求の範囲】
【請求項１】
ティー本体（２）と４個の支柱部を備えたボール支持部（３）と、一対のガイド用段差部を備えるゴルフティー（１）であって、前記ティー本体（２）は、先端が尖った地面（２０）に突き刺す脚部（４）と前記ボール支持部（３）を備える頂部（５）とが一体に同軸線上（Ｄ）に形成され、前記一対のガイド用段差部の形状が四角形として形成されており、そのうちの一辺に設けられる後側段差部（６）は、対辺の前側段差部（７）よりボール支持部（３）から脚部（４）先端方向に短い距離で形成され、前記４個の支柱部を備えたボール支持部（３）のうち前記後側段差部（６）のコーナー角から同じ突出高さを有する後側支柱部（８）、（８Ａ）が２ヶ所、一方前記前側段差部（７）のコーナー角から同じ突出高さを有する前側支柱部（９）、（９Ａ）が２ヶ所それぞれ支柱形状として突出して設けられ、前記ティー本体（２）の脚部（４）から頂部（５）の同軸線上（Ｄ）垂直方向での高低差（Ａ）が１ｍｍから８ｍｍの範囲内で前記後側支柱部（８）、（８Ａ）側が高くなるよう構成したことを特徴とするゴルフティー（１）。
【請求項２】
前記後側支柱部（８）、（８Ａ）及び前記前側支柱部（９）、（９Ａ）それぞれの天面部（１０）が、ゴルフボール（１１）と同等の曲率半径を有する凹み形状としたことを特徴とする請求項１に記載のゴルフティー（１）
【考案の詳細な説明】
【技術分野】
【０００１】  本考案は、ゴルフのティーショットの時にゴルフボールをのせるゴルフティーに関し、４個の支柱部を備えたボール支持部のうち、同じ突出高さを有する後側支柱部と同じ突出高さを有する前側支柱部がそれぞれ１ｍｍから８ｍｍの範囲内で高低差を有するゴルフティーに関する。
【背景技術】
【０００２】  従来のゴルフティーは、先端部が尖った形状で地面に突き刺す脚部とボール支持部を備える頂部とが同軸線上に一体に形成されている。【０００３】  なお、ゴルフボールをのせる球座を有するボール支持部としてのヘッド部とこのヘッド部の下部に連なり、地面に突き刺す脚部であるステム部とからなるゴルフティーのうち、ヘッド部の軸線とステム部の軸線とを鋭角をもって交差させ、ステム部を地面より露出した部分が平面視で球座にのせた打ち出し方向後面より張り出すようにステム部を形成したゴルフティーが知られている。
【先行技術文献】
【０００４】
【先行技術文献１】
特許公開平１０−２３００３２号公報
【考案の概要】
【考案が解決しようとする課題】
【０００５】  上記先行技術文献１に示された発明のゴルフティーでは、ヘッド部の軸線とステム部の軸線とを鋭角になるようにしたものをボールの打ち出し方向と反対側から斜めにステム部を地面にしっかりと突き刺さねばならず、打者自身が地面の土の硬さや芝生等の状況を鑑みて斜めに突き刺すことは大変手間のかかる欠点が有った。【０００６】  又、ボールをのせる球座を有するヘッド部が皿状となっているため、万が一地面に突き刺した後に球座の高さを変更しようとすると球座からゴルフボールが落ちてしまう不安定なゴルフティーとなる問題点があった。
【問題を解決するための手段】
【０００７】  上記課題を解決するために本考案は、ティー本体（２）と４個の支柱部を備えたボール支持部（３）と、一対のガイド用段差部を備えるゴルフティー（１）であって、前記ティー本体（２）は、先端が尖った地面（２０）に突き刺す脚部（４）と前記ボール支持部（３）を備える頂部（５）とが一体に同軸線上（Ｄ）に形成され、前記一対のガイド用段差部の形状が四角形として形成されており、そのうちの一辺に設けられる後側段差部（６）は、対辺の前側段差部（７）よりボール支持部（３）から脚部（４）先端方向に短い距離で形成され、前記４個の支柱部を備えたボール支持部（３）のうち前記後側段差部（６）のコーナー角から同じ突出高さを有する後側支柱部（８）、（８Ａ）が２ヶ所、一方前記前側段差部（７）のコーナー角から同じ突出高さを有する前側支柱部（９）、（９Ａ）が２ヶ所それぞれ支柱形状として突出して設けられ、前記ティー本体（２）の脚部（４）から頂部（５）の同軸線上（Ｄ）垂直方向での高低差（Ａ）が１ｍｍから８ｍｍの範囲内で前記後側支柱部（８）、（８Ａ）側が高くなるよう構成したことを特徴としている。
【０００８】  更に、前記後側支柱部（８）、（８Ａ）及び前記前側支柱部（９）、（９Ａ）それぞれの天面部（１０）が、ゴルフボール（１１）と同等の曲率半径を有する凹み形状としたことを特徴としている。
【考案の効果】
【０００９】  本考案のゴルフティーは以上のような構成であるため、打面方向いわゆるゴルフボールの打ち出し方向側を前側とした際、右利き打者であれば、左手中指がガイドとなる前側段差部、左手人差し指がガイドとなる後側段差部に沿って各指で本考案のゴルフティーを握りしめて保持し、確実に地面に垂直に力が少なくて突き刺す事が出来る優れたものとなる。
【００１０】  もちろん突き刺す際にはゴルフボールと４個の支柱部を備えたボール支持部にゴルフボールを置いたまま本考案のゴルフティーを前記ガイドに沿ってそれぞれの指で包み込んで一緒に地面に突き刺してセットすることも簡単に出来る。
【００１１】  又、ガイドとなる部分に来る指は、前記中指が薬指、人差し指が中指等、使用者の使いやすい配置で使用出来ることは言うまでもない。
【００１２】  又、本考案のゴルフティーは、地面に垂直に突き刺した場合でも高低差がある４個の支柱部を備えたボール支持部ではあるが、ボールが前記ボール支持部から転がり落ちる事の無い１ｍｍから８ｍｍの範囲内の高低差として設けているため通常のゴルフティーとして何ら変わりなく使用する事が出来るものである。
【００１３】  一方、地面に突き刺した後に飛球方向側に本考案のゴルフティーを手で押し倒して、自分の好みや打球の状況に合う傾斜角度とすることが簡単に出来るため、様々な地面の状況に対応出来る優れたものとなる。
【００１４】  更に、支柱部の天面部がゴルフボールと同じ曲率半径を有する凹み形状となっているため、ゴルフボールとの接触抵抗を軽減出来る優れたものである。
【００１５】  なお、ボール支持部においては、後側支柱部及び前側支柱部の４個の支柱部がそれぞれ支柱形状として頂部から突き出て設けられているために、その支柱の間にスリットいわゆる隙間が出来る事で打球時に、例えばゴルフクラブの打面風圧抵抗が軽減された優れたものになる。
【００１６】  本考案のゴルフティーはいわゆる前傾ティーに成りうる事が出来るので、ゴルフボールとゴルフクラブの当たり面が閉じて当たるために、ゴルフボールの回転量が減り、より飛距離が出る優れたものとなる。
【図面の簡単な説明】
【００１７】
【図１】本考案のゴルフティーの一実施例を斜めから見た斜視図である。
【図２】本考案の図１のゴルフティーを地面に突き刺した図を示す正面図である。
【図３】本考案のゴルフティーを地面に突き刺し、前側支柱部及び後側支柱部にゴルフボールを置いた正面図である。
【図４】本考案のゴルフティーを地面に突き刺し飛球方向に傾斜させてゴルフクラブにて打つ状態を示す正面図である。
【考案を実施するための形態】
【００１８】  本考案におけるゴルフティーの大きさ、形状、デザイン、材質、製造方法等は特に限定されないが、ティー本体の脚部とボール支持部を備える頂部とが樹脂で一体成形されるのが大量生産やコストの面から好ましい。
【実施例】
【００１９】  以下、本考案の一実施例を図１、図２、図３及び図４で説明するが、これによって本考案は何ら限定されるものではない。【００１９】  図１は、本考案のゴルフティー（１）を斜視方向から見た状態を示しており、ティー本体（２）には、先端が尖った形状で地面（２０）に突き刺す脚部（４）とボール支持部（３）を備える頂部（５）とが一体に同軸線上（Ｄ）に形成されている。なお、ボール支持部（３）の根元からティー本体（２）の途中まで一対のガイド用段差部の形状が四角形として形成されており、そのうちの一辺に後側段差部（６）と対辺には前側段差部（７）が脚部（４）先端方向に形成されている。【００２０】  又、４個の支柱部を備えたボール支持部（３）のうち前記後側段差部（６）のコーナー角から同じ突出高さを有する後側支柱部（８）、（８Ａ）が２ヶ所、一方前記前側段差部（７）のコーナー角から同じ突出高さを有する前側支柱部（９）、（９Ａ）が２ヶ所それぞれ支柱形状として突出して設けられている。【００２１】  図２は、図１のものを地面（２０）に脚部（４）を突き刺した状態を正面から見た図であり、一対の指を引っ掛けるガイド用段差部における後側段差幅（Ｂ）及び前側段差幅（Ｃ）が有り、前記後側段差部（６）が、対辺の前側段差部（７）よりボール支持部（３）から脚部（４）先端方向に短い距離で形成されているのがわかる。【００２２】  又、前記ティー本体（２）の脚部（４）から頂部（５）の同軸線上（Ｄ）垂直方向での高低差（Ａ）が１ｍｍから８ｍｍの範囲内で前記後側支柱部（８）、（８Ａ）側の２ヶ所の方が、前記前側支柱部（９）、（９Ａ）側の２ヶ所より高くなるよう構成されているのがわかる。【００２３】  図３は、本考案のゴルフティー（１）を地面（２０）に突き刺しゴルフボール（１１）を置いた状態を示しており、ゴルフボール（１１）の打ち出し方向である打面方向（Ｅ）を前側とした際に、右利き打者であれば例えば左手中指がガイドとなる前側段差部（７）に、飛球方向（Ｆ）である左手人差し指がガイドとなる後側段差部（６）に沿ってゴルフティー（１）を握りしめて保持し、確実に地面（２０）に垂直に力が少なくて突き刺せる事がわかる。この時、ゴルフボール（１１）を後側支柱部（８）、（８Ａ）及び前側支柱部（９）、（９Ａ）に置いてゴルフティー（１）と一緒に手で包み込んで保持したまま、一緒に地面（２０）に突き刺すことも出来る。【００２４】  図４は、本考案のゴルフティー（１）を地面（２０）に突き刺した後に、ゴルフクラブ（１３）で打面方向（Ｅ）から飛球方向（Ｆ）に打つ状態を示しており、その際飛球方向（Ｆ）にティー本体（２）を後側支柱部（８）、（８Ａ）と前側支柱部（９）、（９Ａ）のゴルフボール（１１）をのせる天面部（１０）が水平（Ｇ）になるまで傾斜方向（Ｈ）に傾斜させた図を示している。【００２５】  又、支柱の間に隙間であるスリット（１２）が出来るため、打球時に打面風圧抵抗が軽減される様子がわかる。
【符号の説明】
【００２６】  １  ゴルフティー
２  ティー本体
３  ボール支持部
４  脚部
５  頂部
６  後側段差部
７  前側段差部
８、８Ａ  後側支柱部
９、９Ａ  前側支柱部
１０  天面部
１１  ゴルフボール
１２  スリット
１３  ゴルフクラブ
２０  地面
Ａ  高低差
Ｂ  後側段差幅
Ｃ  前側段差幅
Ｄ  同軸線上
Ｅ  打面方向
Ｆ  飛球方向
Ｇ  水平
Ｈ  傾斜方向
【図１】
0003183066.tif 000003
【図２】
0003183066.tif 000004
【図３】
0003183066.tif 000005
【図４】
0003183066.tif 000006